(57)【要約】【課題】  ハンズフリー装置から携帯電話機への信号に基づいて着信音が切り変わるようにする。【解決手段】  ハンズフリー装置が、ハンズフリー装置側着信音設定プログラム１００等のプログラムを実行することで、接続先の携帯電話機に対して周波数帯域制限情報を送信する（ステップ１２０）。そして、その送信に基づいた応答等として携帯電話機２の有する着信音信号の帯域についての情報を携帯電話機から受信すると（ステップ１３０）、受信した情報に基づいた判定を行い（ステップ１４０）、受信した情報が、周波数帯域制限情報に対応可能である旨の場合には帯域非制限指示の信号を送信する（ステップ１５０）。また、受信した情報が、周波数帯域制限情報に対応可能でない旨の場合には、ハンズフリー装置内の設定に基づいて（ステップ１６０）、帯域制限指示の信号を送信し（ステップ１７０）、あるいは着信音受信不可の信号を送信する（ステップ１８０）。【選択図】 図４
2006094477.tif 000002
【特許請求の範囲】
【請求項１】
携帯電話機と複数の無線チャネルで同時に接続するための通信回路と、
前記通信回路による接続先の携帯電話機から着信音信号を受信すると、その受信した着信音信号に基づいた音をスピーカーに出力させる着信音出力制御手段と、
前記携帯電話機から送信された前記携帯電話機の情報を、前記通信回路を用いて受信する受信制御手段と、
前記無線チャネルの接続状態と、前記受信制御手段が受信した前記携帯電話機の情報とに基づいて、前記携帯電話機から送信される着信音信号を選ぶための情報を、前記通信回路を用いて前記携帯電話機に送信する送信制御手段と、を備えたハンズフリー装置。
【請求項２】
前記受信制御手段が受信する携帯電話機の情報は、前記携帯電話機が送信可能な着信音信号の周波数帯域に関する情報であることを特徴とする請求項１に記載のハンズフリー装置。
【請求項３】
前記着信音出力制御手段が受信する着信音信号についての周波数帯域制限の情報を、前記通信回路を用いて前記携帯電話機に送信する帯域制限情報送信制御手段を備え、
前記周波数帯域制限の情報は、前記無線チャネルの接続状態に応じて可変設定されるものであり、
前記受信制御手段が受信する携帯電話機の情報は、前記帯域制限情報送信制御手段によって送信された周波数帯域制限の情報に基づく応答として前記携帯電話機から送信されたものであることを特徴とする請求項２に記載のハンズフリー装置。
【請求項４】
前記送信制御手段は、前記受信制御手段が受信した前記携帯電話機の情報に基づいて、前記携帯電話機が有する複数種類の着信音のうち、いずれについての信号を受信するかについての情報を、前記通信回路を用いて前記携帯電話機に送信することを特徴とする請求項１ないし３のいずれか１つに記載のハンズフリー装置。
【請求項５】
携帯電話機と複数の無線チャネルで同時に接続するための通信回路と、
前記通信回路による接続先の携帯電話機の着信時に、その携帯電話機から着信音信号を受信すると、その受信した着信音信号に基づいた音をスピーカーに出力させる着信音出力制御手段と、
前記着信音出力制御手段が受信する着信音信号についての周波数帯域の制限情報を、前記通信回路を用いて前記携帯電話機に送信する帯域制限情報送信制御手段と、
前記周波数帯域の制限情報は、前記無線チャネルの接続状態に応じて可変設定されるものであり、
前記携帯電話機から、前記帯域制限情報送信制御手段の送信した周波数帯域の制限情報の応答として、前記周波数帯域の制限情報に基づいて前記携帯電話機が送信可能とする着信音信号の情報を、前記通信回路を用いて受信する受信制御手段と、
前記受信制御手段が受信した情報に基づいて、前記携帯電話機の着信時に前記携帯電話機から着信音信号の受信を行うか否かの情報を、前記通信回路を用いて前記携帯電話機に送信する送信制御手段と、を備えたハンズフリー装置。
【請求項６】
前記通信回路は、携帯電話機とＢｌｕｅｔｏｏｔｈの規格に基づく無線接続を行うためのものであり、
前記着信音信号の送信は、Ｂｌｕｅｔｏｏｔｈのインバンドによる送信であることを特徴とする請求項１ないし５のいずれか１つに記載のハンズフリー装置。
【請求項７】
着信音データを記憶する記憶媒体と、
接続先の携帯電話機の着信時に、その携帯電話機から着信音信号を受信し、その受信した着信音をスピーカーに出力するハンズフリー装置、と複数の無線チャネルで同時に接続するためのハンズフリー用通信回路と、
前記ハンズフリー用通信回路による接続先のハンズフリー装置から送信された、着信音信号を選ぶための情報を受信する着信音選択受信制御手段と、
前記着信音を選ぶための情報は、前記ハンズフリー装置において前記無線チャネルの接続状態に応じて設定されたものであり、
前記着信音選択受信制御手段が受信した、着信音信号を選ぶための情報に基づいて、前記記憶媒体に記憶された着信音データに基づく送信用の着信音信号を設定する送信用着信音信号設定手段と、
前記送信用着信音信号設定手段が設定した着信音信号を、前記ハンズフリー用通信回路を用いて、前記ハンズフリー装置に送信する着信音送信制御手段と、を備えた携帯電話機。
【請求項８】
前記ハンズフリー用通信回路を用いて、前記ハンズフリー装置に当該携帯電話機の情報を送信する携帯電話機情報送信制御手段を備え、
前記着信音選択受信制御手段は、前記携帯電話機情報送信制御手段が送信した情報に基づいた応答として、前記ハンズフリー装置から、前記受信する着信音信号を選ぶための情報を受信することを特徴とする請求項７に記載の携帯電話機。
【請求項９】
前記ハンズフリー用通信回路は、ハンズフリー装置とＢｌｕｅｔｏｏｔｈの規格に基づく無線接続を行うためのものであり、
前記着信音信号の送信は、Ｂｌｕｅｔｏｏｔｈのインバンドによる送信であり、
前記送信用着信音信号設定手段は、前記着信音選択受信制御手段が受信した、着信音信号を選ぶための情報および前記インバンドにおける送信パケット形式に基づいて、前記記憶媒体に記憶された着信音データに基づく送信用の着信音信号を設定することを特徴とする請求項７または８に記載の携帯電話機。
【請求項１０】
着信音データを記憶する記憶媒体と、
接続先の携帯電話機の着信時に、その携帯電話機から着信音信号を受信し、その受信した着信音をスピーカーに出力するハンズフリー装置、と複数の無線チャネルで同時に接続するためのハンズフリー用通信回路と、
前記ハンズフリー装置が送信した、当該ハンズフリー装置が受信する着信音信号についての周波数帯域制限情報を、前記ハンズフリー用通信回路を用いて受信する帯域制限情報受信制御手段と、
前記周波数帯域制限情報は、前記無線チャネルの接続状態に応じて、前記ハンズフリー装置にて設定されたものであり、
前記帯域制限情報受信制御手段が受信した周波数帯域制限情報と、前記記憶媒体に記憶された着信音データの着信音周波数帯域との比較に基づいて、前記ハンズフリー装置に送信可能な着信音信号の有無情報を、前記ハンズフリー用通信回路を用いて前記ハンズフリー装置に送信する着信音信号送信可否情報送信制御手段と、
前記着信音信号送信可否情報送信制御手段が送信した情報に基づく応答として、前記ハンズフリー装置が送信した、着信時に着信音信号の受信を行うか否かの情報を、前記ハンズフリー用通信回路を用いて受信する着信音信号受信可否情報受信制御手段と、
前記着信音信号受信可否情報受信制御手段が受信した情報が、着信時に着信音信号の受信を行う旨の情報であることに基づいて、着信時に、前記記憶媒体に記憶された着信音データに基づく着信音信号を、前記ハンズフリー用通信回路を用いて、前記ハンズフリー装置に送信する着信音送信制御手段と、を備えた携帯電話機。
【請求項１１】
前記ハンズフリー用通信回路は、ハンズフリー装置とＢｌｕｅｔｏｏｔｈの規格に基づく無線接続を行うためのものであり、
前記着信音信号の送信は、Ｂｌｕｅｔｏｏｔｈのインバンドによる送信であることを特徴とする請求項１０に記載の携帯電話機。
【発明の詳細な説明】
【技術分野】
【０００１】
本発明は、携帯電話機と接続してハンズフリー機能を実現するハンズフリー装置、およびこのハンズフリー装置と接続する携帯電話機に関する。
【背景技術】
【０００２】
現在、携帯電話機と接続してハンズフリー機能を実現するハンズフリー装置が広く用いられている。このようなハンズフリー装置の中には、携帯電話機と接続しているときに、その携帯電話機に着信があると、携帯電話機から送信された着信音信号を受信し、その着信音信号に基づいて着信音を鳴らすようになっているものがある。
【０００３】
例えば、近年用いられるようになった、Ｂｌｕｅｔｏｏｔｈ（登録商標）で携帯電話と接続するハンズフリー装置の場合、着信があったときに、携帯電話機からハンズフリー装置にインバンドで着信音信号が送信され、ハンズフリー装置は、その送信された着信音信号をそのまま鳴らす場合がある。インバンドとは、ＢｌｕｅｔｏｏｔｈでＳＣＯリンクとして規定されている物理リンクを用いて、信号の送受信を行う方式である。
【発明の開示】
【発明が解決しようとする課題】
【０００４】
しかし、従来は、携帯電話機から送信される着信信号が、ハンズフリー装置からの信号に基づいて切り替わるようなものがなく、発明者の検討によれば、それに起因する不都合が発生する可能性があった。
【０００５】
例えば、Ｂｌｕｅｔｏｏｔｈにおいては、インバンドで送信できる着信音の周波数帯域に制限がある。
【０００６】
また、Ｂｌｕｅｔｏｏｔｈの接続形態としては、１つのマスタ装置に対して最大７つの装置が同時接続可能であるため、携帯電話機とハンズフリー装置とが複数の無線チャネル（ＳＣＯリンク）で同時接続することができる。
【０００７】
しかし、この無線チャネルの接続状態（チャネル数）によって、上記周波数帯域の制限条件が異なり、例えば、無線接続のチャネル数が多くなると、携帯電話機は、ハンズフリー装置へ、周波数帯域がより狭い着信音信号しか送信できないこととなる。
【０００８】
したがって、これらを考慮せずに、携帯電話機が送信する着信音信号を送信した場合、着信音信号の周波数帯域によっては、送信時に音声信号が歪み、結果的にハンズフリー装置から出力される音声（着信音）が歪んでしまう場合がある。
【０００９】
本発明は上記点に鑑み、ハンズフリー装置および携帯電話機において、周波数帯域の制限によって携帯電話機から送信される着信音ができる限り歪まないようにすることを第１の目的とする。
【００１０】
また、ハンズフリー装置および携帯電話機において、その周波数帯域制限の情報に基づいて、携帯電話機からの着信音の送信の可否を切り替えることができるようにすることを第２の目的とする。
【課題を解決するための手段】
【００１１】
上記した第１の目的を達成するための本発明の第１の特徴は、携帯電話機と複数の無線チャネルで同時に接続するための通信回路を備え、この通信回路による接続先の携帯電話機から着信音信号を受信すると、その受信した着信音信号に基づいた音をスピーカーに出力させるハンズフリー装置が、その携帯電話機から送信された携帯電話機の情報を、上記の通信回路を用いて受信し、前記無線チャネルの接続状態と、その受信した携帯電話機の情報に基づいて、その携帯電話機から送信される着信音信号を選ぶための情報を、通信回路を用いて携帯電話機に送信することである。
【００１２】
このようになっているので、ハンズフリー装置は、前記無線チャネルの接続状態と、受信した携帯電話機の情報に基づいて、着信音信号を選ぶための情報を当該携帯電話機に送信するので、ハンズフリー装置から携帯電話機への信号に基づいて、携帯電話機では、歪みの少ない着信音を選択し、これをハンズフリー装置に送信することができる。        
【００１３】
なお、受信する携帯電話機の情報は、その携帯電話機が送信可能な着信音信号の周波数帯域に関する情報であってもよい。このようになっていることで、ハンズフリー装置は、携帯電話機が送信可能な着信音信号の周波数帯域に基づいた選択を行うことができる。
【００１４】
その場合、このハンズフリー装置は、着信の際、携帯電話機から受信する着信音信号についての周波数帯域制限の情報を携帯電話機に送信し、その送信した情報に基づく応答として、携帯電話機の情報を受信するようになっていてもよい。このようになっていることで、携帯電話機から送信される、その携帯電話機が送信可能な着信音信号の周波数帯域情報は、この周波数帯域制限の情報が加味されたものとなる。
【００１５】
また、ハンズフリー装置は、受信した携帯電話機の情報に基づいて、携帯電話機が有する複数種類の着信音のうち、いずれについての信号を受信するかについての情報を、携帯電話機に送信するようになっていてもよい。
【００１６】
また、上記第２の目的を達成するための本発明の第２の特徴は、携帯電話機と複数の無線チャネルで同時に接続するための通信回路を備え、この通信回路による接続先の携帯電話機の着信時に、その携帯電話機から着信音信号を受信すると、その受信した着信音信号に基づいた音をスピーカーに出力させるハンズフリー装置が、受信する着信音信号についての周波数帯域の制限情報を、この通信回路を用いて携帯電話機に送信し、この送信された周波数帯域の制限情報の応答として携帯電話機が送信した、周波数帯域制限情報に基いた携帯電話機が送信可能とする着信音信号の情報を、通信回路を用いて受信し、受信したその情報に基づいて、携帯電話機の着信時に携帯電話機から着信音信号の受信を行うか否かの情報を携帯電話機に送信することである。そして、前記周波数帯域の制限情報は、前記無線チャネルの接続状態に応じて可変設定されるものである。
【００１７】
このようになっていることで、ハンズフリー装置は、着信音信号の周波数帯域制限がある場合、その可変する周波数帯域制限の情報に基づいて、着信音の送信の可否を切り替えることができる。
【００１８】
また、上記した発明の特徴において、通信回路は、携帯電話機とＢｌｕｅｔｏｏｔｈの規格に基づく無線接続を行うためのものであり、着信音信号の送信は、Ｂｌｕｅｔｏｏｔｈのインバンドによる送信であってもよい。
【００１９】
また、上記第１の目的を達成するための本発明の第３の特徴は、「接続先の携帯電話機の着信時に、その携帯電話機から着信音信号を受信し、その受信した着信音をスピーカーに出力する」ハンズフリー装置と複数の無線チャネルで同時に接続するためのハンズフリー用通信回路と、着信音データを記憶する記憶媒体とを備えた携帯電話が、このハンズフリー用通信回路による接続先のハンズフリー装置から送信された、着信音信号を選ぶための情報を受信し、受信したこの情報に基づいて、この記憶媒体に記憶された着信音データに基づく送信用の着信音信号を設定し、この設定した着信音信号を、このハンズフリー用通信回路を用いて、ハンズフリー装置に送信することである。そして、前記着信音を選ぶための情報は、前記ハンズフリー装置において前記無線チャネルの接続状態に応じて設定されたものである。
【００２０】
このようになっているので、携帯電話機は、ハンズフリー装置からの、着信音信号を選ぶための情報に基づいて、送信する着信音信号を設定するので、携帯電話機では、歪みの少ない着信音を選択し、これをハンズフリー装置に送信することができる。
【００２１】
また、携帯電話機は、ハンズフリー用通信回路を用いて、ハンズフリー装置に当該携帯電話機の情報を送信するようになっており、また、ハンズフリー装置からの、受信する着信音信号を選ぶための情報は、この送信した携帯電話機の情報に基づいた応答となっていてもよい。
【００２２】
このようになっていることで、ハンズフリー装置から送信される、受信する着信音信号を選ぶための情報には、当該携帯電話機の情報が加味されるようになる。
【００２３】
また、ハンズフリー用通信回路は、ハンズフリー装置とＢｌｕｅｔｏｏｔｈの規格に基づく無線接続を行い、着信音信号の送信は、Ｂｌｕｅｔｏｏｔｈのインバンドによる送信であり、また、携帯電話機は、受信した着信音信号を選ぶための情報に加え、インバンドにおける送信パケット形式に基づいて、送信用の着信音信号を設定するようになっていてもよい。
【００２４】
また、上記第２の目的を達成するための本発明の第４の特徴は、「接続先の携帯電話機の着信時に、その携帯電話機から着信音信号を受信し、その受信した着信音をスピーカーに出力する」ハンズフリー装置と複数の無線チャネルで同時に接続するためのハンズフリー用通信回路と、着信音データを記憶する記憶媒体とを備えた携帯電話が、ハンズフリー装置が送信した、当該ハンズフリー装置が受信する着信音信号についての周波数帯域制限情報を受信し、この受信した周波数帯域制限情報と、記憶媒体に記憶された着信音データの着信音周波数帯域との比較に基づいて、ハンズフリー装置に送信可能な着信音信号の有無情報をハンズフリー装置に送信し、この送信した情報に基づく応答としてハンズフリー装置が送信した、着信時に着信音信号の受信を行うか否かの情報を受信し、この受信した情報が、着信時に着信音信号の受信を行う旨の情報であることに基づいて、着信時に、記憶媒体に記憶された着信音データに基づく着信音信号を、ハンズフリー装置に送信することである。そして、前記周波数帯域制限情報は、前記無線チャネルの接続状態に応じて、前記ハンズフリー装置にて設定されたものである。
【００２５】
このようになっているので、携帯電話機は、携帯電話機から受信した周波数帯域制限情報と、着信音データの着信音周波数帯域との比較に基づいて、ハンズフリー装置に送信可能な着信音信号の有無情報をハンズフリー装置に送信し、この送信に対する応答の情報に基づいて、着信音の送信の可否を切り替えることができる。
【００２６】
また、このハンズフリー用通信回路は、ハンズフリー装置とＢｌｕｅｔｏｏｔｈの規格に基づく無線接続を行うためのものであり、着信音信号の送信は、Ｂｌｕｅｔｏｏｔｈのインバンドによる送信であってもよい。
【発明を実施するための最良の形態】
【００２７】
次に、本発明の一実施形態について説明する。図１および図２に、本実施形態に係るハンズフリー装置１および携帯電話機２のハードウェア構成を、それぞれ示す。
【００２８】
ハンズフリー装置１は、車両内に搭載され、音声回路１１、スピーカー１２、マイク１３、操作部１４、メモリ１５、Ｂｌｕｅｔｏｏｔｈ通信回路１６、Ｂｌｕｅｔｏｏｔｈ用アンテナ１７および演算処理部１８を有している。
【００２９】
音声回路１１は、演算処理部１８から出力されたデジタル音声データをアナログデータに変換し、さらに増幅等のアナログ処理を行い、その結果の信号をスピーカー１２に出力する。また音声回路１１は、マイク１３から入力された音声信号に対して増幅等の所定のアナログ処理を行い、その結果の信号をデジタル変換し、その変換の結果のデジタルデータを演算処理部１８に出力する。
【００３０】
操作部１４は、メカニカルスイッチ等の、ユーザが操作可能な装置を有し、これに対するユーザの操作に基づいた信号を演算処理部１８に出力する。
【００３１】
メモリ１５は、フラッシュメモリ等の不揮発性の記憶媒体、または、バックアップ電源からの電力供給を受けて常時データを記憶している揮発性記憶媒体である。本実施形態においては、メモリ１５は、後述する周波数帯域制限情報を複数、記憶するようになっている。
【００３２】
Ｂｌｕｅｔｏｏｔｈ通信回路１６は、Ｂｌｕｅｔｏｏｔｈ用アンテナ１７から受けた信号に対して、Ｂｌｕｅｔｏｏｔｈの規格に従った所定の周波数変換、復調、増幅、Ａ／Ｄ変換等を行い、その結果のデータを演算処理部１８に出力し、また演算処理部１８から受けたデータに対して、Ｂｌｕｅｔｏｏｔｈの規格に従った所定のＤ／Ａ変換、増幅、変調、周波数変換等を行い、その結果のデータをＢｌｕｅｔｏｏｔｈ用アンテナ１７に出力する、携帯電話機２と接続するための回路である。
【００３３】
演算処理部１８は、ＣＰＵ１８１、ＲＡＭ１８２、およびマスクＲＯＭ１８３を有している。ＣＰＵ１８１は、マスクＲＯＭ１８３から作動のためのプログラムを読み出して実行し、その実行の際にはＲＡＭ１８２、メモリ１５にデータを書き込み、またＲＡＭ１８２、マスクＲＯＭ１８３、メモリ１５からデータを読み出す。またＣＰＵ１８１は、その作動において、音声回路１１、操作部１４およびＢｌｕｅｔｏｏｔｈ通信回路１６から信号の入力を受け、また必要に応じて音声回路１１およびＢｌｕｅｔｏｏｔｈ通信回路１６に信号を出力する。ＣＰＵ１８１が実行するプログラムについては後述する。
【００３４】
また、本実施形態におけるハンズフリー装置１は、図示しないカーナビゲーション装置の一部を構成しており、上記Ｂｌｕｅｔｏｏｔｈ通信回路１６は、携帯電話機２と無線接続されて、ハンズフリー機能を実現するだけでは無い。例えば、携帯電話機２と、カーナビゲーション装置とを無線接続した状態で、さらに携帯電話機２を無線通信網を介してインターネット上のサーバに接続することで、カーナビゲーション装置の画面でインターネットのコンテンツを閲覧することも可能となっている。
【００３５】
この場合、ハンズフリー装置１のＢｌｕｅｔｏｏｔｈ通信回路１６は、携帯電話機２に対して、インターネット機能と、ハンズフリー機能の両者を実現するため、２つの無線チャネルを用いて、同時接続されることになる。次に、携帯電話機２の構成について説明する。
【００３６】
携帯電話機２は、音声回路２１、スピーカー２２、マイク２３、操作部２４、携帯無線通信回路２５、携帯無線用アンテナ２６、Ｂｌｕｅｔｏｏｔｈ通信回路２７、Ｂｌｕｅｔｏｏｔｈ用アンテナ２８および演算処理部２９を有している。
【００３７】
音声回路２１は、演算処理部２９から出力されたデジタル音声データをアナログデータに変換し、さらに増幅等のアナログ処理を行い、その結果の信号をスピーカー２２に出力する。また音声回路２１は、マイク２３から入力された音声信号に対して増幅等の所定のアナログ処理を行い、その結果の信号をデジタル変換し、その変換の結果のデジタルデータを演算処理部２９に出力する。
【００３８】
操作部２４は、メカニカルスイッチ等の、ユーザが操作可能な装置を有し、これに対するユーザの操作に基づいた信号を演算処理部２９に出力する。
【００３９】
携帯無線通信回路２５は、周知の電話通信用の回路である。この携帯無線通信回路２５は、携帯無線用アンテナ２６から受けた、携帯電話の基地局を経由した通話相手からの信号に対して、例えばＣＤＭＡ等の携帯電話通信の規格に従った所定の周波数変換、復調、増幅、Ａ／Ｄ変換等を行い、その結果のデータを演算処理部２９に出力する。また携帯無線通信回路２５は、演算処理部２９から受けた通話相手への送信用データに対して、携帯電話通信の規格に従った所定のＤ／Ａ変換、増幅、変調、周波数変換等を行い、その結果のデータを基地局に送信するため、携帯無線用アンテナ２６に出力する。
【００４０】
Ｂｌｕｅｔｏｏｔｈ通信回路２７は、Ｂｌｕｅｔｏｏｔｈ用アンテナ２８から受けた信号に対して、Ｂｌｕｅｔｏｏｔｈの規格に従った所定の周波数変換、復調、増幅、Ａ／Ｄ変換等を行い、その結果のデータを演算処理部２９に出力し、また演算処理部２９から受けたデータに対して、Ｂｌｕｅｔｏｏｔｈの規格に従った所定のＤ／Ａ変換、増幅、変調、周波数変換等を行い、その結果のデータをＢｌｕｅｔｏｏｔｈ用アンテナ２８に出力する、ハンズフリー装置１と接続するための回路である。
【００４１】
演算処理部２９は、ＣＰＵ２９１、ＲＡＭ２９２およびマスクＲＯＭ２９３を有している。
【００４２】
ＣＰＵ２９１は、マスクＲＯＭ２９３から作動のためのプログラムを読み出して実行し、その実行の際にはＲＡＭ２９２にデータを書き込み、またＲＡＭ２９２、マスクＲＯＭ２９３からデータを読み出す。またＣＰＵ２９１は、その作動において、音声回路２１、操作部２４、携帯無線通信回路２５およびＢｌｕｅｔｏｏｔｈ通信回路２７から信号の入力を受け、また必要に応じて音声回路１１、携帯無線通信回路２５およびＢｌｕｅｔｏｏｔｈ通信回路２７に信号を出力する。ＣＰＵ２９１が実行するプログラムについては後述する。
【００４３】
マスクＲＯＭ２９３は、ＣＰＵ２９１が実行するプログラムの他、接続相手のハンズフリー装置１に対して送信するための着信音データを複数種類有している。この着信音データは、着信音を表すデジタルデータに加え、その着信音の利用する周波数帯域の情報を有している。この利用する周波数帯域は、着信音毎に異なるようになっている。
【００４４】
以下、上記のようなハードウェア構成のハンズフリー装置１および携帯電話機２の作動について、図３〜図５を用いて説明する。
【００４５】
図３は、ハンズフリー装置１と携帯電話機２とがＢｌｕｅｔｏｏｔｈによって互いに接続した後に、着信音の設定を行い、その設定に基づいて携帯電話機２からハンズフリー装置１に着信音情報が送出され、ハンズフリー装置１が着信音を鳴らすまでの作動を、時系列的に示すシーケンス図である。
【００４６】
図４は、この作動のためにハンズフリー装置１のＣＰＵ１８１が実行する、ハンズフリー装置側着信音設定プログラム１００のフローチャートである。
【００４７】
また、図５は、この作動のために携帯電話機２のＣＰＵ２９１が実行する、携帯電話機側着信音設定プログラム２００のフローチャートである。
【００４８】
以下、これらのフローチャートの動作を説明するが、前提として、上述したように、携帯電話機２が図示しないカーナビゲーション装置と連携して、インターネット接続している状態にある、つまり、ハンズフリー装置１と携帯電話機２とが周知の手順によって、1つ目のＢｌｕｅｔｏｏｔｈリンクを確立された状態であるとする。例えば、このリンク確立は、ＣＰＵ１８１がＢｌｕｅｔｏｏｔｈ通信回路１６を用い、またＣＰＵ２９１がＢｌｕｅｔｏｏｔｈ通信回路２７を用いて、所定の手順で互いにデータの授受を行うことで実行される。
【００４９】
そして、ユーザーが、ハンズフリー機能を実現するために、携帯電話機２を所定の操作すると、ハンズフリー装置１と携帯電話機２とが周知の手順によって２つ目のＢｌｕｅｔｏｏｔｈリンクが確立される。この場合も、ＣＰＵ１８１がＢｌｕｅｔｏｏｔｈ通信回路１６を用い、またＣＰＵ２９１がＢｌｕｅｔｏｏｔｈ通信回路２７を用いて、所定の手順で互いにデータの授受を行うことで実行される。
【００５０】
ハンズフリー装置１と携帯電話機２との間で２つ目のＢｌｕｅｔｏｏｔｈリンクが確立すると、ＣＰＵ１８１はハンズフリー装置側着信音設定プログラム１００の実行を開始し、携帯電話機２はＣＰＵ２９１の実行を開始する。
【００５１】
まず、ＣＰＵ１８１は、ハンズフリー装置側着信音設定プログラム１００のステップ１１０において、Ｂｌｕｅｔｏｏｔｈ接続先の機器を検出したことを判定し、続いてステップ１２０の処理を実行する。
【００５２】
ステップ１２０では、メモリ１５に、同時接続されている無線チャネル数と対応して、複数記憶されている周波数帯域制限情報のうち１つを選択し、これをＢｌｕｅｔｏｏｔｈ通信回路１６を用いて、携帯電話機２に送信する。この説明では、２つの無線リンクが同時接続されているので、これに対応してメモリ１５の周波数帯域制限情報が選択設定さされる。そして、周波数帯域制限情報は、無線チャネルの同時接続数が増えるにつれて、帯域幅が狭くなるように設定される。
【００５３】
この周波数帯域制限情報は、ハンズフリー装置１から送信されることになる着信音信号についての制限の情報である。この制限の情報は、Ｂｌｕｅｔｏｏｔｈのインバンドにおいて送信可能な音の周波数帯域の制限に基づくものであり、具体的には、このインバンドによって送信可能な周波数帯域（より具体的には無線接続が１つの場合は、最大範囲５０〜７０００Ｈｚ）を示すデータである。なお、このメモリ１５中の値は、ユーザによる操作部１４の操作によって変更することが可能となっていてもよい。
【００５４】
この周波数帯域制限情報が図３における信号５１に相当する。
【００５５】
そして、携帯電話機２のＣＰＵ２９１は、この周波数帯域制限情報５１を、Ｂｌｕｅｔｏｏｔｈ通信回路２７を用いて受信するまで、ステップ２１０を繰り返し、受信すると、続いてステップ２２０で、この受信した周波数帯域制限情報に含まれる送信可能な周波数帯域と、マスクＲＯＭ１８３に記憶された各着信音データの周波数帯域とを比較する。そして、その比較の結果、着信音データのうちの１つでも、その送信可能な周波数帯域内に含まれる周波数帯域となっている着信音データがあれば、着信音データが制限に適合すると判定し、続いてステップ２３０を実行する。また、その比較の結果、着信音データの全てが、その送信可能な周波数帯域をはみ出る部分を含む周波数帯域となっている場合、着信音データが制限に適合しないと判定し、続いてステップ２４０を実行する。
【００５６】
ステップ２３０では、周波数帯域に対応可能である旨の情報を、Ｂｌｕｅｔｏｏｔｈ通信回路２７を用いてハンズフリー装置１に送信する。
【００５７】
ステップ２４０では、周波数帯域に対応不可である旨の情報を、Ｂｌｕｅｔｏｏｔｈ通信回路２７を用いてハンズフリー装置１に送信する。
【００５８】
このように、これらステップ２３０およびステップ２４０で送信される情報は、ハンズフリー装置１に送信可能な着信音信号の有無情報である。また、これら送信される情報は、携帯電話機２の着信音信号についての情報であり、携帯電話機２の情報である。この携帯電話機２の情報が、図３における信号５２に相当する。
【００５９】
ハンズフリー装置１のＣＰＵ１８１は、ステップ１２０に続いてステップ１３０で、周波数帯域制限情報の応答としての携帯電話機２の情報を、Ｂｌｕｅｔｏｏｔｈ通信回路１６を用いて受信するまで規定時間（例えば３０秒）待ち、その規定時間内に受信すると、図３の着信音切り替え判断実行の処理５３に入る。この処理は、具体的にはハンズフリー装置側着信音設定プログラム１００のステップ１４０〜１７０の処理に相当する。
【００６０】
すなわち、ＣＰＵ１８１は、まずステップ１４０で、応答として受信した携帯電話機２の情報の内容は、周波数帯域に対応可能である旨の情報であるか否かを判定する。そして、周波数帯域に対応可能である旨の情報であれば続いてステップ１５０を実行し、そうでなければ続いてステップ１６０を実行する。
【００６１】
ステップ１５０では、帯域非制限指示の信号を、Ｂｌｕｅｔｏｏｔｈ通信回路１６を用いて携帯電話機２に送信する。この信号は、携帯電話機２の着信時に、携帯電話機２から着信音信号の受信を行い、また、受信する着信音は、周波数帯域制限情報に適合するものを選ぶ旨の信号である。この信号は、図３における着信音信号送信方法指示の信号５４に相当する。ステップ１５０の後、ハンズフリー装置側着信音設定プログラム１００の実行は終了する。
【００６２】
ステップ１６０では、周波数帯域が適合しないことを承知で携帯電話機２の着信音を受信して使用するか否かについての、ハンズフリー装置１における設定の状態を判定する。すなわち、ハンズフリー装置１内のマスクＲＯＭ１８３にあらかじめ記憶された着信音よりも、携帯電話機２からの着信音を優先的に使用するか否かについての設定の状態を判定する。この設定の状態を示す設定情報は、メモリ１５に記憶されており、ユーザによる操作部１４の操作によって変更可能となっていてもよいし、あらかじめマスクＲＯＭ１８３に記憶されていてもよい。設定の状態が携帯電話機２の着信音を受信して使用するようになっている場合、続いてステップ１７０を実行し、着信を受信しないようになっている場合、続いてステップ１８０を実行する。
【００６３】
ステップ１７０では、帯域制限指示の信号を、Ｂｌｕｅｔｏｏｔｈ通信回路１６を用いて携帯電話機２に送信する。この信号は、携帯電話機２から着信音信号の受信を行い、また、受信する着信音は、インバンドにおけるパケット送信形式に基づいた選択をさせる旨の信号である。この信号は、図３における着信音信号送信方法指示の信号５４に相当する。ステップ１７０の後、ハンズフリー装置側着信音設定プログラム１００の実行は終了する。インバンドにおけるパケット送信形式については後述する。
【００６４】
ステップ１８０では、着信音受信不可の信号を、Ｂｌｕｅｔｏｏｔｈ通信回路１６を用いて携帯電話機２に送信する。この着信音受信不可の信号は、携帯電話機２から着信音信号の受信を行わない旨の信号である。この信号は、図３における着信音信号送信方法指示の信号５４に相当する。ステップ１８０の後、ハンズフリー装置側着信音設定プログラム１００の実行は終了する。
【００６５】
なお、ＣＰＵ１８１は、ステップ１３０で規定時間内に携帯電話機２の情報を受信できなかった場合は、続いてステップ１８０で、Ｂｌｕｅｔｏｏｔｈ通信回路１６を用いて、携帯電話機２に、着信音受信不可の信号を送信し、その後ハンズフリー装置側着信音設定プログラム１００の実行を終える。
【００６６】
携帯電話機２の情報をステップ２３０または２４０で送信したＣＰＵ２９１は、続いてステップ２５０で、着信音信号送信方法指示の信号５４を、Ｂｌｕｅｔｏｏｔｈ通信回路２７を用いて受信するまで待ち、受信すると、その信号が、着信音信号の送信を要求する旨の信号であるか否かを判定する。着信音信号の送信を要求する旨の信号とは、着信音信号送信方法指示の信号５４のうち、帯域非制限指示の信号（図４のステップ１５０参照）および帯域制限指示の信号（ステップ１７０参照）である。着信音信号の送信を要求する旨の信号を受けた場合、続いてステップ２６０を実行し、着信音信号の送信を要求する旨の信号を受けなかった場合、すなわち、着信音受信不可の信号（ステップ１８０参照）を受けた場合、続いてステップ２８０を実行する。
【００６７】
ステップ２６０では、送信する着信音信号の選択を行う。選択の方法は、（１）受信した信号５４が、帯域非制限指示の信号である場合、および（２）受信した信号５４が、帯域制限指示の信号である場合、の２つの場合で異なる。以下、それぞれの場合についての選択の方法を説明する。
【００６８】
（１）受信した信号５４が、帯域非制限指示の信号である場合：
複数の着信音データのうち、ステップ２２０で、受信した周波数帯域制限情報に係る送信可能な周波数帯域に含まれる周波数帯域となった、すなわち周波数帯域制限情報に適合する着信音データを、着信時の送信用として設定する。なお、周波数帯域制限情報に適合する着信音データが複数ある場合、それらのうちから１つをランダムに選択する。なお、携帯電話機２では、複数の着信音データの中から１つを着信時の着信音データを選択し、これを設定することが可能であり、この設定された着信音データが、周波数帯域制限情報に適合する場合、ランダムに選択するのでなく、これを優先して選択する。
【００６９】
（２）受信した信号５４が、帯域制限指示の信号である場合：
この場合は、インバンドにおけるパケット送信形式に基づいた着信音データの選択を行う。Ｂｌｕｅｔｏｏｔｈにおいては、ＳＣＯリンクと呼ばれる対称型ポイント・ツー・ポイントの物理リンクに基づいてインバンドの送受信が行われる。そのインバンドで利用されるパケットの種類には、ＨＶ１パケット、ＨＶ２パケット、ＨＶ３パケットの３つがある。ＳＣＯリンクではパケットが再送されることはないが、送信データ補正のために冗長化されたパケットが送信されるようになっている。そして、冗長化の度合いは、上記したパケットの種類毎に異なっている。具体的には、６４ｋｂｐｓのデータを送信するにあたり、ＨＶ１パケットはＨＶ２パケットよりも冗長化の度合いが高く、ＨＶ３パケットは冗長化されない。したがって、データ訂正能力については、ＨＶ１パケットが一番高く、次にＨＶ２パケットが高く、ＨＶ３パケットが最も低いということになる。
【００７０】
パケット送信形式に基づいた着信音データの選択は、具体的には、現在の接続において用いられているパケットの種類がＨＶ１パケットである場合は、携帯電話機２が有している全ての着信音データのいずれか１つをランダムに選択する。また、現在の接続において用いられているパケットの種類がＨＶ２パケットまたはＨＶ３である場合は、携帯電話機２が有している全ての着信音データのうち、使用する周波数帯域の幅が最も狭いものを選択する。
【００７１】
ステップ２６０に続いてステップ２７０では、ステップ２６０で選択された着信音信号を、着信時に送信する旨の設定を行う。具体的にはＲＡＭ２９２中の領域に設けられた、選択された着信音信号を着信時に送信するか否かを示す着信音信号送信フラグの値をオンにする。ステップ２７０の後、携帯電話機側着信音設定プログラム２００の実行は終了する。
【００７２】
ステップ２８０では、着信時に着信音信号送信する旨の設定を行う。具体的には、着信音信号送信フラグの値をオフにする。ステップ２８０の後、携帯電話機側着信音設定プログラム２００の実行は終了する。
【００７３】
このようにして着信音の送信、非送信の設定、および送信される着信音の設定が終了した後、携帯電話機２に着信があると、携帯電話機２のＣＰＵ２９１は着信処理用のプログラムをマスクＲＯＭ２９３から読み出して実行する。これが図３の着信処理５５に相当する。
【００７４】
そしてＣＰＵ２９１は、この着信処理５５において、着信音送信フラグの値を読み出す。そして、読み出した着信音信号送信フラグの値がオンであれば、着信があった旨の信号、およびステップ２６０で選択された着信音データから生成した着信音信号を、Ｂｌｕｅｔｏｏｔｈ通信回路２７を用いて、インバンドでハンズフリー装置１に送信する。また、読み出した着信音信号送信フラグの値がオフであれば、着信音信号は送信せず、着信があった旨の信号のみを、Ｂｌｕｅｔｏｏｔｈ通信回路２７を用いてハンズフリー装置１に送信する。この着信があった旨の信号、および着信があった旨の信号と着信音信号との組は、図３に示す着信情報の信号５６に相当する。
【００７５】
そして、ハンズフリー装置１のＣＰＵ１８１は、Ｂｌｕｅｔｏｏｔｈ通信回路１６を用いてこの信号５６を受信すると、着信音出力処理用のプログラムをマスクＲＯＭ１８３から読み出して実行する。これが図３の着信音出力処理５７に相当する。
【００７６】
そしてＣＰＵ１８１は、この着信音出力処理５７において、受信した着信情報５６に着信音信号が含まれていれば、それを音声回路１１に出力する。また、受信した着信情報５６に着信音信号が含まれていなければ、マスクＲＯＭ１８３内に有する着信音データを読み出して音声回路１１に出力する。これによって、ハンズフリー装置１から着信音が出力される。
【００７７】
なお、ハンズフリー装置１がスピーカー１２を用いて着信音を鳴らした後に、ユーザが操作部１４に対してオフフックの操作を行うと、ＣＰＵ１８１はＢｌｕｅｔｏｏｔｈ通信回路１６を用いて携帯電話機２にオフフック操作がされた旨の信号を送信する。そして、携帯無線通信回路２５を用いてこの信号を受信したＣＰＵ２９１は、携帯無線通信回路２５を制御して着信のあった通話を開始する。
【００７８】
通話中、携帯電話機２は、携帯無線通信回路２５を用いて受信した通話相手からの音声データを、Ｂｌｕｅｔｏｏｔｈ通信回路２７を用いてハンズフリー装置１に送信する。また、Ｂｌｕｅｔｏｏｔｈ通信回路２７を用いてハンズフリー装置１から受信したユーザの送信用音声データを、携帯無線通信回路２５を用いて通話相手宛として基地局に送信する。
【００７９】
また、通話中、ハンズフリー装置１は、Ｂｌｕｅｔｏｏｔｈ通信回路１６を用いて、携帯無線通信回路２５から受けた通話相手からの音声データを受信し、この受信したデータを音声回路１１に出力する。これによって、スピーカー１２から通話相手の音声が出力される。またハンズフリー装置１は、マイク１３が受けたユーザの音声のデータを音声回路１１から受け、この受けた音声データを、通話相手への送信用データとして、Ｂｌｕｅｔｏｏｔｈ通信回路１６を用いて携帯電話機２へ送信する。
【００８０】
このようなハンズフリー装置１と携帯電話機２の作動により、ユーザは、携帯電話機２による通話を、ハンズフリー装置１のスピーカー１２およびマイク１３を用いて行うことができる。
【００８１】
以上説明した通り、ＣＰＵ１８１がハンズフリー装置側着信音設定プログラム１００等のプログラムを実行することで、ハンズフリー装置１は、Ｂｌｕｅｔｏｏｔｈ通信回路１６による接続先の携帯電話機２に対して周波数帯域制限情報を送信する（ステップ１２０参照）。そして、その送信に基づいた応答等として携帯電話機２から携帯電話機２の有する着信音信号の帯域についての情報を受信すると（ステップ１３０参照）、受信した情報に基づいた判定を行い（ステップ１４０参照）、受信した情報が、周波数帯域制限情報に対応可能である旨の場合には帯域非制限指示の信号を送信する（ステップ１５０参照）。また、受信した情報が、周波数帯域制限情報に対応可能でない旨の場合には、ハンズフリー装置１内の、携帯電話機２が周波数帯域制限情報に適合しない場合に着信音信号の送信を受けるか否かの設定に基づいて（ステップ１６０参照）、帯域制限指示の信号を送信し（ステップ１７０参照）、あるいは着信音受信不可の信号を送信する（ステップ１８０参照）。
【００８２】
このようになっているので、ハンズフリー装置１は、受信した携帯電話機２の情報に基づいて、着信音信号を選ぶための情報を当該携帯電話機２に送信するので、ハンズフリー装置１から携帯電話機２への信号に基づいて、歪みが少ない着信音に切り換えることができる。
【００８３】
また、受信する携帯電話機２の情報は、その携帯電話機２の有する着信音データの周波数帯域が、送信した周波数帯域制限の情報に適合するか否かについての情報であるので、この情報は、携帯電話機２が送信可能な着信音信号の周波数帯域に関する情報である。このようになっているので、ハンズフリー装置１は、携帯電話機２が送信可能な着信音信号の周波数帯域に基づいた選択を行うことができる。
【００８４】
また、ハンズフリー装置１が送信する着信音信号送信方法指示の信号５４（図４のステップ１５０、１７０、１８０参照）は、携帯電話機２に対して送信する着信音を選択させる基準を指示する信号であるので、この信号５４は、携帯電話機２が有する複数種類の着信音のうち、いずれについての信号を受信するかについての情報である。また、信号５４は、携帯電話機２からハンズフリー装置１への着信音の送信の可否を指示する信号でもある。このように、ハンズフリー装置１は、着信音信号の周波数帯域制限がある場合、その周波数帯域制限の情報に基づいて、着信音の送信の可否を切り替えることができる。
【００８５】
また、上記の通り、ＣＰＵ２９１が携帯電話機側着信音設定プログラム２００等のプログラムを実行することで、携帯電話機２は、ハンズフリー装置１からの周波数帯域制限情報を、Ｂｌｕｅｔｏｏｔｈ通信回路２７を用いて受信し（ステップ２１０参照）、受信した周波数帯域制限情報が有する着信音データに適合するか否かを、これら２つを比較することで判定し（ステップ２２０参照）、その判定に基づいて、ハンズフリー装置１に送信可能な着信音信号の有無情報として、着信音データがその周波数帯域に対応可能か否かの情報を出力する（ステップ２３０、２４０参照）。そして携帯電話機２は、ハンズフリー装置１から、着信音信号送信方法指示の信号を受信すると（ステップ２５０参照、）受信したこの情報に基づいて、着信音信号を送信するか否か（ステップ２７０、２８０参照）、またはどの着信音信号を送信するか（ステップ２６０参照）を設定する。このようになっているので、携帯電話機２は、ハンズフリー装置１から携帯電話機２への信号に基づいて着信音が切り変わる機能に対応することができ、また、着信音送信、非送信を切り替えることができる。
【００８６】
なお、上記の実施形態において、Ｂｌｕｅｔｏｏｔｈ通信回路１６が通信回路に相当する。
【００８７】
また、ＣＰＵ１８１が、図３の着信音出力処理５７のためのプログラムを実行することで、着信音出力制御手段として機能する。
【００８８】
また、ＣＰＵ１８１が、ハンズフリー装置側着信音設定プログラム１００のステップ１３０を実行することで、受信制御手段として機能する。
【００８９】
また、ＣＰＵ１８１が、ハンズフリー装置側着信音設定プログラム１００のステップ１５０、１７０および１８０を実行することで、送信制御手段として機能する。
【００９０】
また、ＣＰＵ１８１が、ハンズフリー装置側着信音設定プログラム１００のステップ１２０の処理を実行することで、帯域制限情報送信制御手段として機能する。
【００９１】
また、携帯電話機２のＲＡＭ２９２およびマスクＲＯＭ２９３が記憶媒体に相当し、Ｂｌｕｅｔｏｏｔｈ通信回路２７がハンズフリー用通信回路に相当する。
【００９２】
また、ＣＰＵ２９１が、携帯電話機側着信音設定プログラム２００のステップ２５０を実行することで、着信音選択受信制御手段および着信音信号受信可否情報受信制御手段として機能する。
【００９３】
また、ＣＰＵ２９１が、携帯電話機側着信音設定プログラム２００のステップ２６０の処理を実行することで、送信用着信音信号設定手段として機能する。
【００９４】
またＣＰＵ２９１が、図３の着信処理５５のためのプログラムを実行することで、着信音送信制御手段として機能する。
【００９５】
また、ＣＰＵ２９１が、携帯電話機側着信音設定プログラム２００のステップ２２０、２３０および２４０を実行することで、携帯電話機情報送信制御手段および着信音信号送信可否情報送信制御手段として機能する。
【００９６】
また、上記の実施形態においては、携帯電話機２は、ステップ２６０で、現在の接続で用いるパケットの種類がＨＶ１パケットである場合と、ＨＶ２パケットまたはＨＶ３パケットである場合の２つの場合で、異なる着信音信号の選択方法を採用しているが、さらに、現在の接続で用いているパケットの種類がＨＶ２パケットである場合とＨＶ３パケットである場合とで、異なる着信音信号の選択方法を採用してもよい。例えば、現在の接続におけるパケット種類がＨＶ３パケットである場合は上記の実施形態と同じ選択方法を採用し、現在の接続におけるパケット種類がＨＶ２パケットである場合は、ハンズフリー装置１から受信した周波数帯域制限情報における送信可能周波数範囲よりも広い周波数範囲（例えば５０〜３４００Ｈｚ）を基準とし、この基準範囲内にその周波数帯域が入る着信音データから１つをランダムに選択して、それを送信用の着信音信号に用いるようになっていてもよい。
【００９７】
また、上記の実施形態においては、携帯電話機２による着信音信号の選択として、複数ある着信音データから、送信する着信音信号に用いるものを１つ選択するようになっているが、必ずしもこのようになっておらずともよい。例えば、携帯電話機２のＣＰＵ２９１が、１つの着信音データから、周波数変換のための周知の処理を行うことで、様々な周波数帯域の着信音信号を生成できるようになっている場合は、携帯電話機２は、着信音データから、送信された周波数帯域制限情報に適合するような着信音信号を生成するようになっていてもよい。
【００９８】
また、上記の実施形態においては、携帯電話機２は、ステップ２３０および２４０で、受信した周波数帯域制限情報に着信音データが適合しているか否かの情報をハンズフリー装置１に送信しているが、必ずしもこのようになっている必要はない。例えば、携帯電話機２が、有している着信音データ、およびその着信音データの周波数帯域の情報を送信するようになっており、ハンズフリー装置１が、メモリ１５の周波数帯域制限情報に基づいてその着信データのうちの１つを選択し、その選択した着信音データの指定を携帯電話機２に送信し、携帯電話機２はその指定された着信音データを用いて着信音信号を送信するようになっていてもよい。
【００９９】
また、本実施家板においては、携帯電話機２が送信する携帯電話機２の情報は、着信音データの周波数帯域に関する情報であるが、必ずしもこのようになっておらずともよい。例えば、携帯電話機２が送信する情報は、携帯電話機２の機種名であり、ハンズフリー装置１は、受信した機種名から、現在の接続に適合するその機種の着信音を特定し、特定した着信音を指定する信号を携帯電話機２に送信し、携帯電話機２はその指定された着信音データを用いて着信音信号を送信するようにするようになっていてもよい。なおこの際、携帯電話機２の機種名から着信音データの特定を行うために、ハンズフリー装置１は、記憶媒体に、機種名と着信音およびその着信音が当該接続への対応状況の情報（例えば周波数帯域の情報）を対応づけるデータを有していてもよい。
【０１００】
また、本実施形態のハンズフリー装置１は、ナビゲーション装置と一体となっていてもよい。
【図面の簡単な説明】
【０１０１】
【図１】本発明の実施形態に係るハンズフリー装置１のハードウェア構成を示す図である。
【図２】本発明の実施形態に係る携帯電話機２のハードウェア構成を示す図である。
【図３】ハンズフリー装置１と携帯電話機２との接続等の作動を時系列的に示すシーケンス図である。
【図４】ハンズフリー装置側着信音設定プログラム１００のフローチャートである。
【図５】携帯電話機側着信音設定プログラム２００のフローチャートである。
【符号の説明】
【０１０２】
１…ハンズフリー装置、２…携帯電話機、１１…音声回路、１２…スピーカー、
１３…マイク、１４…操作部、１５…メモリ、１６…Ｂｌｕｅｔｏｏｔｈ通信回路、
１７…Ｂｌｕｅｔｏｏｔｈ用アンテナ、１８…演算処理部、２１…音声回路、
２２…スピーカー、２３…マイク、２４…操作部、２５…携帯無線通信回路、
２６…携帯無線用アンテナ、２７…Ｂｌｕｅｔｏｏｔｈ通信回路、
２８…Ｂｌｕｅｔｏｏｔｈ用アンテナ、２９…演算処理部、
５１、５２、５４、５６…信号、５３…着信音切り替え判断実行処理、
５５…着信処理、５７…着信音出力処理、
１００…ハンズフリー装置側着信音設定プログラム、１８１…ＣＰＵ、
１８２…ＲＡＭ、１８３…マスクＲＯＭ、
２００…携帯電話機側着信音設定プログラム２００、２９１…ＣＰＵ、
２９２…ＲＡＭ、２９３…マスクＲＯＭ。
【図１】
2006094477.tif 000003
【図２】
2006094477.tif 000004
【図３】
2006094477.tif 000005
【図４】
2006094477.tif 000006
【図５】
2006094477.tif 000007